(57)【要約】    【課題】      照明機器の遠隔制御において照明機器と有線接続していなくても照明機器の動作状態を把握することができ、操作時の動作確認も可能にすること。    【解決手段】  リモコン１８は、照明機器１１周辺の明るさを検出し、その検出した照明機器１１周辺の明るさに基づいて前記照明機器１１の動作状態を判断し、その判断した照明機器１１の動作状態を前記テレコントロール装置１６へ通知する。テレコントロール装置１６は、リモコン１８に対して制御信号を送信し、リモコン１８から照明機器１１周辺の明るさに基づいて判断した動作状態を示す状態通知信号又は制御信号受信音に基づいて判断した動作状態を示す状態通知信号を受信し、前記照明機器１１を制御する必要が発生すると前記状態通知信号に示された動作状態に基づいて制御信号の制御内容を決めるものである。  【選択図】      図２
2005175816.tif 000002
【特許請求の範囲】
【請求項１】
電話回線を介して受信した制御指示に応じて被制御機器を制御するテレコントロール装置からの制御信号に応じた無線信号を照明機器へ送信して制御する制御手段と、前記照明機器周辺の明るさを検出する検出手段と、検出した照明機器周辺の明るさに基づいて前記照明機器の動作状態を判断する判断手段と、判断した照明機器の動作状態を前記テレコントロール装置へ通知する状態通知手段と、を具備するワイヤレスリモコン装置。
【請求項２】
前記判断手段は、前回の明るさ検出値と今回の明るさ検出値との差分がしきい値を越えていれば、前回の動作状態から反転した動作状態になったと判断することを特徴とする請求項１記載のワイヤレスリモコン装置。
【請求項３】
前記判断手段は、前回の明るさ検出値と今回の明るさ検出値との差分がしきい値を越えていれば、前回と今回の検出値の大小関係から動作状態の変化方向を判断して現在の動作状態を決めることを特徴とする請求項１記載のワイヤレスリモコン装置。
【請求項４】
前記状態通知手段は、前記照明機器が設置された部屋の窓近傍に設置した外部照明センサの出力する明るさ検出信号が、しきい値よりも明るいことを示している場合、照明機器の動作状態を前記テレコントロール装置へ通知しないことを特徴とする請求項１から請求項３のいずれかに記載のワイヤレスリモコン装置。
【請求項５】
電話回線を介して受信した制御指示に応じて被制御機器を制御するテレコントロール装置からの制御信号に応じた無線信号を照明機器へ送信して制御する制御手段と、前記無線信号を受信した照明機器の信号受信音を検出する検出手段と、検出した信号受信音に基づいて前記照明機器の動作状態を判断する判断手段と、判断した照明機器の動作状態を前記テレコントロール装置へ通知する状態通知手段と、を具備するワイヤレスリモコン装置。
【請求項６】
電話回線を介して受信した制御指示に応じて被制御機器を制御するテレコントロール装置であって、照明機器を制御するためにワイヤレスリモコン装置に対して制御信号を送信する制御信号送信手段と、前記ワイヤレスリモコン装置から前記照明機器周辺の明るさに基づいて判断した動作状態を示す状態通知信号を受信する状態通知信号受信手段と、前記照明機器を制御する必要が発生すると前記状態通知信号に示された動作状態に基づいて制御信号の制御内容を決める制御手段と、を具備するテレコントロール装置。
【請求項７】
前記制御手段は、前記ワイヤレスリモコン装置から状態通知信号を受信すると、当該状態通知信号を採用するか否か受信時刻によって決めることを特徴とする請求項６記載のテレコントロール装置。
【請求項８】
前記制御手段は、前記照明機器の設置している部屋の照明センサの出力する明るさ検出信号が、しきい値よりも明るいことを示している場合、その間に受信した状態通知信号を採用しないことを特徴とする請求項６記載のテレコントロール装置。
【請求項９】
電話回線を介して受信した制御指示に応じて被制御機器を制御するテレコントロール装置であって、照明機器を制御するためにワイヤレスリモコン装置に対して制御信号を送信する制御信号送信手段と、前記ワイヤレスリモコン装置から前記照明機器が発する制御信号受信音に基づいて判断した動作状態を示す状態通知信号を受信する状態通知信号受信手段と、前記照明機器を制御する必要が発生すると前記状態通知信号に示された動作状態に基づいて制御信号の制御内容を決める制御手段と、を具備するテレコントロール装置。
【請求項１０】
電話回線を介して受信した制御指示に応じて被制御機器を制御するテレコントロール装置とワイヤレスリモコン装置とからなるテレコントロールシステムであって、前記ワイヤレスリモコン装置は、前記テレコントロール装置からの制御信号に応じた無線信号を照明機器へ送信して制御するリモコン側制御手段と、前記照明機器周辺の明るさを検出する検出手段と、検出した照明機器周辺の明るさに基づいて前記照明機器の動作状態を判断する判断手段と、判断した照明機器の動作状態を前記テレコントロール装置へ通知する状態通知手段と、を具備し、前記テレコントロール装置は、前記ワイヤレスリモコン装置に対して制御信号を送信する制御信号送信手段と、前記ワイヤレスリモコン装置から状態通知信号を受信する状態通知信号受信手段と、前記照明機器を制御する必要が発生すると前記状態通知信号に示された動作状態に基づいて制御信号の制御内容を決める本体側制御手段と、を具備するテレコントロールシステム。
【発明の詳細な説明】
【技術分野】
【０００１】
本発明は、照明機器を遠隔制御するワイヤレスリモコン装置及び照明機器を宅外から電話回線を介して遠隔制御するテレコントロール装置に関する。
【背景技術】
【０００２】
電話回線を使用したテレコントロールによる照明機器やエアコン等の遠隔制御においては、被制御機器と制御機器（テレコントロール装置）との間をＪＥＭ−Ａインターフェース（ＨＡ端子とも言う）を介した有線にて接続し、被制御機器である照明機器やエアコン等から動作状態を示す信号をテレコントロール装置が受信して状態を確認し、反転制御の場合はその状態を反転するように制御信号を生成して照明機器やエアコン等に与えていた（例えば特許文献１参照）。
【０００３】
一方、照明機器のスイッチとしてワイヤレスリモコン装置（以下、リモコンという）を使用するものが増加しており、電灯線を壁に設置したスイッチでＯＮ／ＯＦＦするタイプの照明機器は少なくなっている。
【特許文献１】特開平１−４９８４２号公報
【発明の開示】
【発明が解決しようとする課題】
【０００４】
しかしながら、照明機器のスイッチにリモコンを用いた場合、照明機器側にリモコンに対し動作状態を示す信号を無線送信する機能を搭載していなければ、ＪＥＭ−Ａインターフェースを用いた有線接続のように照明機器から動作状態を示す信号を受けるといったことができない問題がある。リモコン側で照明機器のＯＮ／ＯＦＦ状態を確認できないため、操作時の動作確認もできないこととなる。テレコントロール装置はリモコンから動作状態信号を受けるので、テレコントロール装置においても照明機器のＯＮ／ＯＦＦ状態を確認できない事態が生じる。
【０００５】
本発明は、以上のような実情に鑑みてなされたもので、照明機器の遠隔制御において照明機器と有線接続していなくても照明機器の動作状態を把握することができ、操作時の動作確認も可能なワイヤレスリモコン装置及びテレコントロール装置を提供することを目的とする。
【課題を解決するための手段】
【０００６】
本発明のワイヤレスリモコン装置は、照明機器周辺の明るさを検出し、その検出した照明機器周辺の明るさに基づいて前記照明機器の動作状態を判断し、その判断した照明機器の動作状態を前記テレコントロール装置へ通知するものである。
【０００７】
本発明のテレコントロール装置は、ワイヤレスリモコン装置に対して制御信号を送信し、ワイヤレスリモコン装置から照明機器周辺の明るさに基づいて判断した動作状態を示す状態通知信号又は制御信号受信音に基づいて判断した動作状態を示す状態通知信号を受信し、前記照明機器を制御する必要が発生すると前記状態通知信号に示された動作状態に基づいて制御信号の制御内容を決めるものである。
【発明の効果】
【０００８】
本発明によれば、照明機器の遠隔制御において照明機器と有線接続していなくても照明機器の動作状態を把握することができ、操作時の動作確認も可能なワイヤレスリモコン装置及びテレコントロール装置を提供できる。
【発明を実施するための最良の形態】
【０００９】
本発明の第１の態様は、電話回線を介して受信した制御指示に応じて被制御機器を制御するテレコントロール装置からの制御信号に応じた無線信号を照明機器へ送信して制御する制御手段と、前記照明機器周辺の明るさを検出する検出手段と、検出した照明機器周辺の明るさに基づいて前記照明機器の動作状態を判断する判断手段と、判断した照明機器の動作状態を前記テレコントロール装置へ通知する状態通知手段と、を具備するワイヤレスリモコン装置である。
【００１０】
このように構成されたワイヤレスリモコン装置によれば、照明機器周辺の明るさに基づいて照明機器の動作状態を判断して動作状態をテレコントロール装置へ通知するので、照明機器側にワイヤレスリモコン装置に対し動作状態を示す信号を無線送信する機能を搭載していなくても、照明機器の動作状態をワイヤレスリモコン装置で把握することができる。
【００１１】
本発明の第２の態様は、第１の態様のワイヤレスリモコン装置において、前記判断手段は、前回の明るさ検出値と今回の明るさ検出値との差分がしきい値を越えていれば、前回の動作状態から反転した動作状態になったと判断することとした。
【００１２】
これにより、前回の明るさ検出値と今回の明るさ検出値とから照明機器の動作状態を把握することができる。
【００１３】
本発明の第３の態様は、第１の態様のワイヤレスリモコン装置において、前記判断手段は、前回の明るさ検出値と今回の明るさ検出値との差分がしきい値を越えていれば、前回と今回の検出値の大小関係から動作状態の変化方向を判断して現在の動作状態を決めることとした。
【００１４】
これにより、前回の明るさ検出値と今回の明るさ検出値とから照明機器の動作状態を把握することができ、単に反転した動作状態に決めるアルゴリズムよりも信頼性を高くすることができる。
【００１５】
本発明の第４の態様は、第１から第３のいずれかの態様のワイヤレスリモコン装置において、前記状態通知手段は、前記照明機器が設置された部屋の窓近傍に設置した外部照明センサの出力する明るさ検出信号が、しきい値よりも明るいことを示している場合、照明機器の動作状態を前記テレコントロール装置へ通知しないこととした。
【００１６】
これにより、部屋の窓近傍に設置した外部照明センサの出力する明るさ検出信号が、しきい値よりも明るいときは照明機器の動作状態を前記テレコントロール装置へ通知しないので、信頼性の低い可能性のある動作状態が通知されるのを防止できる。
【００１７】
本発明の第５の態様は、電話回線を介して受信した制御指示に応じて被制御機器を制御するテレコントロール装置からの制御信号に応じた無線信号を照明機器へ送信して制御する制御手段と、前記無線信号を受信した照明機器の信号受信音を検出する検出手段と、検出した信号受信音に基づいて前記照明機器の動作状態を判断する判断手段と、判断した照明機器の動作状態を前記テレコントロール装置へ通知する状態通知手段と、を具備するワイヤレスリモコン装置である。
【００１８】
このように構成されたワイヤレスリモコン装置によれば、照明機器の制御信号受信音の違いに基づいて照明機器の動作状態を判断して動作状態をテレコントロール装置へ通知するので、照明機器側にワイヤレスリモコン装置に対し動作状態を示す信号を無線送信する機能を搭載していなくても、照明機器の動作状態をワイヤレスリモコン装置で把握することができる。
【００１９】
本発明の第６の態様は、電話回線を介して受信した制御指示に応じて被制御機器を制御するテレコントロール装置であって、照明機器を制御するためにワイヤレスリモコン装置に対して制御信号を送信する制御信号送信手段と、前記ワイヤレスリモコン装置から前記照明機器周辺の明るさに基づいて判断した動作状態を示す状態通知信号を受信する状態通知信号受信手段と、前記照明機器を制御する必要が発生すると前記状態通知信号に示された動作状態に基づいて制御信号の制御内容を決める制御手段と、を具備するテレコントロール装置である。
【００２０】
以上のように構成されたテレコントロール装置によれば、ワイヤレスリモコン装置から照明機器周辺の明るさに基づいて判断した動作状態を示す状態通知信号を受信することにより、照明機器の動作状態を把握でき、制御信号の制御内容を確定できる。
【００２１】
本発明の第７の態様は、第６の態様のテレコントロール装置において、前記制御手段は、前記ワイヤレスリモコン装置から状態通知信号を受信すると、当該状態通知信号を採用するか否か受信時刻によって決めることとした。
【００２２】
これにより、受信時刻によって状態通知信号を採用するか否か判断するので、信頼性が低下する時間帯に受信した状態通知信号は採用しないようにできる。
【００２３】
本発明の第８の態様は、第６の態様のテレコントロール装置において、前記制御手段は、前記照明機器の設置している部屋の照明センサの出力する明るさ検出信号が、しきい値よりも明るいことを示している場合、その間に受信した状態通知信号を採用しないこととした。
【００２４】
これにより、部屋がしきい値よりも明るい場合、その間に受信した状態通知信号を採用しないので、部屋が明るすぎるために信頼性が低下した状態通知信号は採用しないようにできる。
【００２５】
本発明の第９の態様は、電話回線を介して受信した制御指示に応じて被制御機器を制御するテレコントロール装置であって、照明機器を制御するためにワイヤレスリモコン装置に対して制御信号を送信する制御信号送信手段と、前記ワイヤレスリモコン装置から前記照明機器が発する制御信号受信音に基づいて判断した動作状態を示す状態通知信号を受信する状態通知信号受信手段と、前記照明機器を制御する必要が発生すると前記状態通知信号に示された動作状態に基づいて制御信号の制御内容を決める制御手段と、を具備するテレコントロール装置である。
【００２６】
このように構成されたテレコントロール装置によれば、ワイヤレスリモコン装置から照明機器の制御信号受信音に基づいて判断した動作状態を示す状態通知信号を受信することにより、照明機器の動作状態を把握でき、制御信号の制御内容を確定できる。
【００２７】
本発明の第１０の態様は、電話回線を介して受信した制御指示に応じて被制御機器を制御するテレコントロール装置とワイヤレスリモコン装置とからなるテレコントロールシステムであって、前記ワイヤレスリモコン装置は、前記テレコントロール装置からの制御信号に応じた無線信号を照明機器へ送信して制御するリモコン側制御手段と、前記照明機器周辺の明るさを検出する検出手段と、検出した照明機器周辺の明るさに基づいて前記照明機器の動作状態を判断する判断手段と、判断した照明機器の動作状態を前記テレコントロール装置へ通知する状態通知手段と、を具備し、前記テレコントロール装置は、前記ワイヤレスリモコン装置に対して制御信号を送信する制御信号送信手段と、前記ワイヤレスリモコン装置から状態通知信号を受信する状態通知信号受信手段と、前記照明機器を制御する必要が発生すると前記状態通知信号に示された動作状態に基づいて制御信号の制御内容を決める本体側制御手段と、を具備するテレコントロールシステムである。
【００２８】
以下、本発明に係るテレコントロールシステムの一実施の形態について図面を参照して具体的に説明する。
【００２９】
図１は、テレコントロールシステムのシステム概要を示す図である。宅内に照明機器１１、エアコンディショナー１２，電動シャッター１３，床暖房器具１４，電気錠１５等の電気機器が設置されている状態を示している。
【００３０】
テレコントロール装置１６は、親機１６−１と子機１６−２とから構成されている。親機と子機を区別しない場合は「テレコントロール装置１６」として説明する。親機１６−１は電話回線に接続されている。宅外から電話回線を介してテレコントロール装置１６に操作信号を送る。テレコントロール装置１６は、電話回線を介して送られてくる操作信号に基づいて、被操作対象機器の動作を制御する。
【００３１】
照明機器１１をリモコン１８から赤外線で操作するように構成している。テレコントロール装置１６からリモコン１８へ制御信号を送信し、制御信号を受信したリモコン１８が照明機器１１へ赤外線にて信号を送信する。リモコン１８の操作部を直接操作しても照明機器１１を操作できる。エアコンディショナー１２に対してはリモコン１９を使用する。
【００３２】
図２にテレコントロール装置１６及びリモコン１８の機能ブロック図を示す。テレコントロール装置１６は、後で説明する種々の制御を実行する制御装置２０１を備える。この制御装置２０１の周辺に各種構成要素が配置されている。各構成要素は次の通りである。
【００３３】
電話回線から到来する信号を検出する検出部を備える。着信信号を検出する着信信号検出部２０２、ＰＢ信号を検出するＰＢ信号検出部２０３、ナンバーディスプレイ信号を検出するナンバーディスプレイ信号検出部２０４である。また、応答制御を行う応答制御装置２０５を備える。これらの構成要素２０２から２０５により電話回線からの信号を検出すると共に適切な応答制御を行う。
【００３４】
リモコン１８に対して制御信号を送信する制御信号送信部２０６、リモコン１８から到来する状態通知信号を受信する状態通知信号受信部２０７、テレコン設定値を記憶するテレコン設定値記憶部２０８を備える。
【００３５】
照明機器１１に対する「ＯＮ」「ＯＦＦ」「順送り」等の制御内容を記憶する制御内容記憶部２０９、任意の時刻情報を記憶する時刻記憶部２１０、時刻を計時する時刻計時部２１１、反転制御後の経過時間を計時する反転制御計時部２１２を備える。
【００３６】
状態通知信号で通知される照明機器１１の状態を記憶する機器状態記憶部２１３、機器ランプ２１５の点滅周期を制御する点滅周期制御装置２１４を備える。
【００３７】
また、制御装置２０１に対して、ユーザが操作する機器ボタン２１６、表示手段としてのＬＣＤ２１７が接続され、さらに外部照度センサ２１９がライン接続される端子２１８が設置される。
【００３８】
リモコン１８は、後で説明する種々の制御を実行する制御装置２３１を備える。この制御装置２３１の周辺に各種構成要素が配置されている。各構成要素は次の通りである。
【００３９】
テレコントロール装置１６から送信した制御信号を受信する制御信号受信部２３２、テレコントロール装置１６へ状態通知信号を送信する状態通知信号送信部２３３、リモコン１８周囲の照度を検出する内部照度センサ２３４、内部照度センサ２３４の測定値を記憶する内部照度センサ記憶部２３５、照明機器１１の動作状態を記憶する機器状態記憶部２３６を備える。
【００４０】
リモコン１８に設置したマイク２３９から出力する音声信号を増幅する音声増幅部２３７、音声観測カウンタ２３８、リモコン１８に設置した赤外線ランプ２４１を制御する点滅周期制御部２４０を備える。また、照明機器１１が設置された部屋の窓近傍に設置した外部照度センサ２４３がライン接続する端子２４２を備える。外部照度センサ２４３は窓から入る外光（建物外部からの光）を検知する。
【００４１】
ここで、照明機器１１に対するテレコン操作の概要について説明する。図３は照明機器１１をテレコン操作にてＯＮ／ＯＦＦ制御する概念を示している。例えば、携帯電話機Ｍから公衆回線網を介してテレコントロール装置１６に回線接続し、携帯電話機ＭのボタンをＯＮ操作又はＯＦＦ操作して「ＯＮ操作」「ＯＦＦ操作」の信号をテレコントロール装置１６に送る。図３において、親機１６−１の機器ボタン２１６ａに照明機器１１を割り付けている。親機１６−１は「ＯＮ操作」の信号を受信した場合、照明機器１１を点灯させる赤外線コマンドをリモコン１８から送信させる制御信号をリモコン１８へ送る。この制御信号を受けたリモコン１８は、照明機器１１を点灯させる赤外線コマンド「ＯＮ」を照明機器１１へ赤外線送信する。この結果、照明機器１１は点灯する。逆に、点灯中の照明機器１１を消灯させる場合、親機１６−１は「ＯＦＦ操作」の信号を受信し、照明機器１１を消灯させる赤外線コマンド「ＯＦＦ」をリモコン１８から送信させる制御信号をリモコン１８へ送る。この制御信号を受けたリモコン１８は、照明機器１１を消灯させる赤外線コマンド「ＯＦＦ」を照明機器１１へ赤外線送信する。この結果、照明機器１１は消灯する。このように、照明機器１１に対してＯＮ−ＯＦＦ−ＯＮ…と、反転方向の赤外線コマンドを送出する方式をＯＮ／ＯＦＦ制御と呼ぶものとする。
【００４２】
図４は照明機器１１をテレコン操作にて順送り制御する概念を示している。同一の赤外線コマンド「順送り」を照明機器１１に対して繰り返し与えることで、機器状態を「２管点灯」−「１管点灯」−「ナツメ点灯」−「消灯」、の順番に遷移させる。テレコン時は、携帯電話機Ｍで「順送り」操作だけの単一操作を行うことになる。このように、照明機器１１に対して「順送り」の赤外線コマンドを繰り返し送出する方式を順送り制御と呼ぶものとする。
【００４３】
次に、以上のように構成されたテレコントロールシステムの動作について具体的に説明する。
【００４４】
図５はリモコン１８の概略的なフロー図である。リモコン１８は、テレコントロール装置１６からの制御信号を受信する処理を実行する（Ｓ１０１）。制御装置２３１は、定期的に制御信号受信部２３２を確認し、制御信号を受信していれば制御内容に応じた赤外線コマンドを照明機器１１に対して送信する（Ｓ１０１）。
【００４５】
図６はステップＳ１０１の詳細を示すフロー図である。リモコン１８は、制御信号受信部２３２を確認し（Ｓ２０１）、制御信号を受信していれば（Ｓ２０２）、ステップＳ２０３，２０４，２０５で制御内容の判定を行う。ステップＳ２０３で制御内容が「ＯＮ」であると判定した場合、点滅周期制御部２４０に赤外線コマンド「ＯＮ」の送信を指示する（Ｓ２０６）。この結果、照明機器１１は赤外線コマンド「ＯＮ」に応じて点灯するものとなる。また、ステップＳ２０４で制御内容が「ＯＦＦ」であると判定した場合、点滅周期制御部２４０に赤外線コマンド「ＯＦＦ」の送信を指示する（Ｓ２０７）。この結果、照明機器１１は赤外線コマンド「ＯＦＦ」に応じて消灯するものとなる。また、ステップＳ２０５で制御内容が「順送り」であると判定した場合、点滅周期制御部２４０に赤外線コマンド「順送り」の送信を指示する（Ｓ２０８）。この結果、照明機器１１は赤外線コマンド「順送り」に応じて点灯状態を１つ遷移させるものとなる。以上の動作が制御信号受信処理である。
【００４６】
図５において制御信号受信処理（Ｓ１０１）が実行された後、照度センサ状態記憶処理（Ｓ１０２）が実行される。照度センサ状態記憶処理ではリモコン１８に設置した内部照度センサ２３４を使用して操作後の点灯状態を検知して保存する。
【００４７】
図７はステップＳ１０２の詳細を示すフロー図である。リモコン１８に設置した内部照度センサ２３４の測定値(ア)を読み取る（Ｓ２１０）。これにより赤外線コマンド送信後の照明機器１１による照度（明るい／暗い）が検出されたことになる。一方で前回の読み取り値(イ)（赤外線コマンド送信前の照度）を内部照度センサ記憶部２３５から読み出す（Ｓ２１１）。前回の赤外線コマンド送信直後の照度測定値(イ)と今回の赤外線コマンド送信後の照度測定値(ア)との差分を計算する（Ｓ２１２）。その結果、差分値が、照度変化があったことを示しており（Ｓ２１３）、且つ今回の赤外線コマンド送信後の照度測定値(ア)がしきい値を越えていれば（Ｓ２１４）、機器状態記憶部２３６の内容を反転方向に書き換える（Ｓ２１５）。赤外線コマンドの送信によって照明機器１１の機器状態が確かに変化したことを照度変化から確認できたので、機器状態記憶部２３６の内容をＯＮからＯＦＦ、又はＯＦＦからＯＮへと書き換えたことになる。
【００４８】
一方、ＯＮ／ＯＦＦ制御であれば、反転方向の赤外線コマンドを送信したが照明機器１１の機器状態の変化を照度変化から検出できなかった場合（Ｓ２１３）、又は照度変化はあったが照度測定値(ア)の値がしきい値より小さかった場合は、機器状態記憶部２３６の書き換えは行わない。照度測定値(ア)の値がしきい値より小さい場合、照明機器１１の状態変化によるものではなく、外光等の変化によるものと予想されるからである。
【００４９】
そして、今回の照度測定値(ア)を内部照度センサ記憶部２３５へ書き込んで処理を終了する（Ｓ２１６）。
【００５０】
このように、照明機器１１から直接照明される箇所にリモコン１８を配置して、リモコン１８に設けた内部照度センサ２３４で照明状態を検知し、その検知した照明状態を内部照度センサ記憶部２３５へ書き込むので、照明機器１１に動作状態を送信する機能を搭載していなくても、現在の照明機器１１の動作状態を正確に把握してリモコン１８に記憶することができる。
【００５１】
ところで、図７のフロー図ではステップＳ２１３、２１４の条件を満たしたら、機器状態が反転したと判断したが、別の条件に基づいて機器状態が反転したと判断することもできる。
【００５２】
図８は別の条件に基づいて機器状態が反転したと判断する例を示すステップＳ２２０からＳ２２３までは、図７におけるステップＳ２１０からＳ２１３間での処理と同様である。図８において、ステップＳ２２３で照度変化があったと判断した場合、その変化量がしきい値を越えたか否か判断する（Ｓ２２４）。そして、変化量がしきい値を越えているならば、変化の方向を判断する（Ｓ２２５）。変化の方向とはＯＦＦ（「暗」）からＯＮ（「明」）又はＯＮ（「明」）からＯＦＦ（「暗」）のことである。具体的には、照度測定値(ア)＞照度測定値(イ)ならば、変化の方向はＯＦＦからＯＮであり、照度測定値(ア)＜照度測定値(イ)ならば、変化の方向はＯＮからＯＦＦである。機器状態記憶部２３６を「ＯＮ」で書き換える場合はステップＳ２２６へ移行し、「ＯＦＦ」で書き換える場合はステップＳ２２７へ移行する。最後に、今回の読み取り値(ア)を内部照度センサ記憶部２３５へ書き込む（Ｓ２２８）。
【００５３】
このように、リモコン１８の内部照度センサ２３４の測定値(ア)(イ)から照度変化を検出したならば、変化方向を判断して機器状態を判断するので、単に先に書き込まれている機器状態と反対方向の機器状態を書き込むのに比べて、信頼性を改善することができる。
【００５４】
次に、リモコン１８は、図５に示すように照度センサ状態記憶処理（Ｓ１０２）を実行した後、状態通知信号送信処理を実行する（Ｓ１０３）。状態通知信号送信処理では、機器状態記憶部２３６に書き込まれた機器状態をテレコントロール装置１６へ送信する。
【００５５】
図９はステップＳ１０３の詳細を示すフロー図である。機器状態記憶部２３６からそこに書き込まれている機器状態を読み出す（Ｓ２３０）。前回の機器状態から変化があれば（Ｓ２３１）、その読み出した機器状態を状態通知信号送信部２３３からテレコントロール装置１６へ送信する（Ｓ２３３）。これにより、照明機器１１の最新の機器状態がテレコントロール装置１６へ送信されたことになる。また、機器状態に変化が無かった場合（Ｓ２３１）、状態通知信号の送信間隔が経過するまで待って（Ｓ２３２）、現在、機器状態記憶部２３６に書き込まれている機器状態を状態通知信号送信部２３３からテレコントロール装置１６へ送信する（Ｓ２３３）。
【００５６】
このように、リモコン１８で機器状態の変化を検出した場合は即座に機器状態をテレコントロール装置１６へ送信し、機器状態に変化がなくても定期的に機器状態をテレコントロール装置１６へ送信することで、テレコントロール装置１６の機器状態記憶部２１３に常に正確で最新のデータを記憶させることができる。
【００５７】
なお、昼間は窓等から入る外光が強い場合がある。このような環境下では照明機器１１をＯＮした状態とＯＦＦした状態とで照度変化が小さいので、機器状態を正確の把握できない可能性がある。
【００５８】
そこで、図１０に示すように、照明機器１１の設置した部屋の窓近傍の外光を受光可能な箇所に設置した外部照度センサ２４３の測定値を読み込む（Ｓ２４０）。窓にブラインドが設置されている場合、外部照度センサ２４３の設置箇所はブラインドの内側であることが望ましい。ブラインドで外光が十分に遮光されている場合は昼間等であっても機器状態を照度測定値から正確に把握できるからである。外部照度センサ２４３の測定値がしきい値を越えている場合は（Ｓ２４１）、状態通知信号の送信を行わずに処理を終了するが、測定値がしきい値を越えていない場合は（Ｓ２４１）、状態通知信号の送信を行う（Ｓ２４２）。
【００５９】
ここで、照明機器１１の機器状態を検出する方式の変形例について説明する。図５に示す例は内部照度センサ２３４の測定値を利用しているが、本変形例では赤外線コマンドに反応した照明機器が発する「音」を検知して機器状態を把握する。
【００６０】
図１１にリモコン１８の全体フローを示す。ステップＳ２５１の制御信号受信処理は図５に示すステップＳ１０１と同じ内容である。ステップＳ２５１で赤外線コマンドを照明機器１１に送信した後、マイク２３９のＯＮ処理を実行する（Ｓ２５２）。
【００６１】
図１２はステップＳ２５２の詳細を示すフロー図である。現在、マイク２３９のスイッチがＯＦＦであるか否か判断し（Ｓ２６０）、ＯＦＦであればステップＳ２５１で実行した赤外線コマンドの送信が完了したか否か判断する（Ｓ２６１）。赤外線コマンドの送信が完了したことが確認できたならば、マイク２３９のスイッチをＯＮして集音可能な状態する（Ｓ２６２）。そして、「マイクＯＮ時間」のカウント値をセットする（Ｓ２６３）。以上でマイクＯＮ処理を完了する。
【００６２】
次に、ステップＳ２５２でマイクＯＮ処理を実行したら、マイク入力判定処理を実行する（Ｓ２５３）。これは照明機器１１の動作音の種別を判定して機器状態を検出し、機器状態記憶部２３６に反映させる処理である。
【００６３】
図１３はステップＳ２５３の詳細を示すフロー図である。一般の照明機器１１はＯＮ操作（点灯）のときは「ピッ」という短音を発するが、ＯＦＦ操作（消灯）のときは「ピー」という長音を発する。この音は制御信号を受信したときに発生する受信音である。この制御信号受信音の種別を判定する。先ず、マイク２３９の出力信号を増幅している音声増幅部２３７の出力信号を監視してマイク入力の有無を判定する（Ｓ２７０）。マイク入力を検出すると、入力音声周波数を分析して制御信号受信音であるか否か判断する（Ｓ２７１）。制御信号受信音であれば、音声観測カウンタ２３８のカウント値をインクリメントして処理を終了する（Ｓ２７２）。すなわち、図１１の全体フローに戻って処理がループする。
【００６４】
一方、ループ処理する中で受信音がなくなるとステップＳ２７０でマイク入力がなくなるかステップＳ２７１で制御信号受信音ではないと判断して、音声観測カウンタ２３８の値を読み出す（Ｓ２７３）。そして、音声観測カウント値からマイク入力が「ＯＦＦ」の規定時間連続した否か判断し（Ｓ２７４）、「ＯＦＦ」の規定時間連続していれば機器状態記憶部２３６に「ＯＦＦ」を書き込む（Ｓ２７５）。また、マイク入力が「ＯＦＦ」の規定時間は連続していないが「ＯＮ」の規定時間は連続していた場合（Ｓ２７６）、機器状態記憶部２３６に「ＯＮ」を書き込む（Ｓ２７７）。その後、音声観測カウンタ２３８の値を０クリアする（Ｓ２７８）。
【００６５】
このように、照明機器１１が発する制御信号受信音の長さを測定して機器状態を検出し、検出した機器状態を機器状態記憶部２３６に書き込むので、照明機器１１に動作状態を送信する機能を搭載していなくても、リモコン１８において照明機器１１の機器状態を把握することができる。
【００６６】
図１１のステップＳ２５３のマイク入力判定処理が完了したら、マイクＯＦＦ処理を実行する（Ｓ２５４）。図１４にステップＳ２５４の処理の詳細を示す。マイク２３９がＯＮであれば（Ｓ２８０）、「マイクＯＮ時間」をカウントし（Ｓ２８１）、規定時間経過したら（Ｓ２８２）、マイク２３９をＯＦＦする（Ｓ２８３）。マイク２３９のＯＦＦは音声増幅部２３７をＯＦＦすることにより実現する。
【００６７】
マイクＯＦＦ処理が完了したら、状態通知信号送信処理を実行する（Ｓ２５５）。ステップＳ２５５は図５のステップＳ１０３と同じ処理である。
【００６８】
次に、テレコントロール装置１６の動作について説明する。
【００６９】
図１５はテレコントロール装置１６の動作を示す概略的なフロー図である。テレコントロール装置１６は、最初に状態通知信号受信処理を実行する（Ｓ３０１）。これは状態通信号を受信してテレコントロール装置１６の機器状態記憶部２１３を書き換える処理である。状態通知信号は前述したとおり、内部照度センサ２３４の検出値に基づいて生成したものであっても良いし、マイク２３９の検出音に基づいて生成したものであってもよい。
【００７０】
図１６はステップＳ３０１の処理の詳細を示すフロー図である。制御装置２０１は、定期的に状態通知信号受信部２０７を確認し（Ｓ３１１）、状態通知信号をリモコン１８から受信していれば（Ｓ３１２）、受信した状態通信信号で表された機器状態で、機器状態記憶部２１３を書き換える（Ｓ３１３）。
【００７１】
これにより、リモコン１８から照明機器１１の機器状態が変化すると状態通知信号が通知され、その通知された機器状態で機器状態記憶部２１３を書き換えることとなり、テレコントロール装置１６は常に最新の照明機器１１の機器状態を把握することができる。
【００７２】
なお、状態通知信号受信処理を実行するのに際して、図１７又は図１８に示す判定を挿入するようにすることもできる。
【００７３】
図１７に示すように、時刻計時部２１１から現在時刻を取得し（Ｓ３２１）、予め定めた利用可能時刻であれば（Ｓ３２２）、図１６の状態通知信号受信処理を実行するが（Ｓ３２３）、それ以外の時刻であれば実行しない。リモコン１８から定期的に機器状態が送られて来ても、機器状態の信頼性が低くなる時間帯など、そのまま使用すべきでない時間帯を予め確認し、その時間帯を除いた利用可能時刻を設定する。これにより、利用可能時刻以外では機器状態記憶部２１３の書き換えを行わないように制御することができる。
【００７４】
また、図１８に示すように、テレコントロール装置１６の外部照度センサ２１９から現在の測定値を取り込み（Ｓ３３１）、その測定値が規定のしきい値を逸脱していない場合だけ（Ｓ３３２）、図１６の状態通知信号受信処理を実行するように制御する（Ｓ３３３）。前述したように、昼間などは照明機器１１以外の外光が多く入り込みリモコン１８の内部照度センサ２３４だけによる状態判断では信頼性に問題が生じるケースもある。そこで、外部照度センサ２１９で部屋の照度を測定して、リモコン１８の状態通知信号の信頼性が低下する日中の照度であれば、状態通知信号受信処理を実行しないこととした。
【００７５】
次に、テレコントロール装置１６は、機器ランプ制御処理を実行する（Ｓ３０２）。機器ランプ制御処理は、ステップＳ３０１での機器状態の通知を受けて、機器ランプ２１５の点灯／消灯を制御する。
【００７６】
図１９はステップＳ３０２の詳細を示すフロー図である。機器状態記憶部２１３から機器状態を読み込んで状態を判定する（Ｓ３４１）。照明装置１１の機器状態が「ＯＮ」ならば、該当の機器ランプ２１５を点灯させる（Ｓ３４２）。また、照明装置１１の機器状態が「ＯＦＦ」ならば、該当の機器ランプ２１５を消灯させる（Ｓ３４３）。これにより、テレコントロール装置１６に設けた照明機器１１の機器ランプ２１５を機器状態に対応させて点灯又は消灯できる。
【００７７】
次に、機器ボタン押下処理を実行する（Ｓ３０３）。機器ボタン押下処理は、テレコントロール装置１６に備えた機器ボタン２１６を直接操作して照明機器１１を遠隔操作する場合の処理である。
【００７８】
図２０はステップＳ３０３の詳細を示すフロー図である。今、テレコントロール装置１６の機器ボタン２１６のうちから照明機器１１の機器ボタン２１６が押下されたものとする。制御装置２０１は、機器ボタン２１６が押下されたことを検知すると（Ｓ３５１）、テレコン設定値記憶部２０８から該当機器（今回は照明機器）の制御方式を読み出す（Ｓ３５２）。
【００７９】
図２１は被操作対象機器の制御方式を登録したテーブル構成図である。全ての被操作対象機器に対して機器番号が割り付けられている。機器番号毎に「機器名称」「制御方式」「機器状態取得」の各項目が設定されている。照明機器１１は機器番号２に登録されていて、制御方式は赤外線リモコン（ＯＮ／ＯＦＦ）となっている。図２１のテーブルデータはテレコン設定値記憶部２０８に記憶している。
【００８０】
ステップＳ３５３ではテレコン設定値記憶部２０８から読み出した照明機器１１の制御方式を判定する。その結果、照明機器１１はリモコン制御であると判定する（Ｓ３５３）。なお、被操作対象機器の制御方式が有線ＪＥＭ−Ａ方式の場合、ステップＳ３５４へ分岐して反転制御を行う。
【００８１】
次に、照明機器１１の制御方式を判定する（Ｓ３５５）。図２１に示すように、照明機器１１はＯＮ／ＯＦＦ制御であるので、ステップＳ３５６へ移行して現在の機器状態を判定する。照明機器１１の現在の機器状態は機器状態記憶部２１３に記憶しているので、そこから機器状態を読み込んで判定する。照明機器１１の現在の機器状態がＯＦＦでなければ（ＯＮ状態）、照明機器１１をＯＦＦ操作する必要があるので、制御内容記憶部２０９に「ＯＦＦ」を書き込む（Ｓ３５７）。また、照明機器１１の現在の機器状態がＯＦＦであれば、照明機器１１をＯＮ操作する必要があるので、制御内容記憶部２０９に「ＯＮ」を書き込む（Ｓ３５８）。なお、ステップＳ３５５の判定で照明機器１１の制御方式がＯＮ／ＯＦＦ制御以外であると判定された場合は、順送り制御であることが確定する。したがって、ステップＳ３５９へ移行して制御内容記憶部２０９に「順送り」を書き込む（Ｓ３５９）。
【００８２】
機器ボタン２１６の操作に対応して制御内容記憶部２０９に制御内容が記憶されると、その制御内容を制御信号の形でリモコン１８へ送信する制御信号送信処理を実行する（Ｓ３６０）。
【００８３】
図２２はステップＳ３６０の処理の詳細を示すフロー図である。制御内容記憶部２０９より制御内容を読み出し（Ｓ３７１）、制御内容を判定する（Ｓ３７２）。制御内容がＯＮであれば、制御信号送信部２０６よりリモコン１８に対して制御信号「ＯＮ」を送信する（Ｓ３７３）。また、制御内容がＯＦＦであれば（Ｓ３７４）、制御信号送信部２０６よりリモコン１８に対して制御信号「ＯＦＦ」を送信する（Ｓ３７５）。制御内容が順送りであれば（Ｓ３７６）、制御信号送信部２０６よりリモコン１８に対して制御信号「順送り」を送信する（Ｓ３７７）。
【００８４】
このように、制御内容記憶部２０９に書き込まれた制御内容は制御信号送信部２０６からリモコン１８に対して送信される。
【００８５】
次に、図２０に示すように、制御信号送信処理の後は、ＬＣＤ２１７に制御結果として機器状態を表示する（Ｓ３６１）。
【００８６】
次に、図１５に示すように、機器ボタン押下処理（Ｓ３０３）の実行後に、テレコン制御処理Ｓ３０４を実行する。テレコン制御処理は、前述したように電話回線経由でテレコントロール装置１６に命令を与えて被操作対象機器を制御するための処理である。
【００８７】
図２３，２４はステップＳ３０４の詳細を示すフロー図である。制御装置２０１は、電話回線から受信する信号を解析してテレコンによる制御指示を検出する（Ｓ３８１）。電話回線経由でテレコンによる制御指示が入ると、テレコン設定値記憶部２０８からテレコン設定値を読み込む（Ｓ３８２）。具体的には図２１のテーブルデータを読み込む。
【００８８】
次に、該当機器の制御方式を確認する（Ｓ３８３）。今、該当機器は照明機器１１であるのでリモコン制御であると認識する。なお、制御方式がリモコン制御以外で有れば（Ｓ３８３）、有線ＪＥＭ−Ａ制御を行う（Ｓ３８４）。
【００８９】
リモコン制御か否かの判定の次は、指示内容を判定する（Ｓ３８５）。すなわち、指示内容は、「ＯＮ」なのか（Ｓ３８５）、「ＯＦＦ」なのか（Ｓ３８６）、「順送り」なのか（Ｓ３８７）、「反転」なのか（Ｓ３８８）判断する。
【００９０】
ステップＳ３８５で指示内容を「ＯＮ」と判断した場合、該当機器である照明機器１１の制御方式を判定し（Ｓ３９１）、ＯＮ／ＯＦＦ制御方式であると判断して制御内容記憶部２０９に「ＯＮ」を書き込む（Ｓ３９２）。
【００９１】
ステップＳ３８６で指示内容を「ＯＦＦ」と判断した場合、該当機器である照明機器１１の制御方式を判定し（Ｓ３９３）、ＯＮ／ＯＦＦ制御方式であると判断して制御内容記憶部２０９に「ＯＦＦ」を書き込む（Ｓ３９４）。
【００９２】
ステップＳ３８７で指示内容を「順送り」と判断した場合、該当機器である照明機器１１の制御方式を判定し（Ｓ３９５）、順送り制御方式であれば制御内容記憶部２０９に「順送り」を書き込む（Ｓ３９６）。
【００９３】
以上のステップＳ３９２，３９４，３９６で指示内容の書き込みを行った後、図２２の制御信号送信処理（Ｓ３９７）を行い、制御結果として機器状態を表示させる（Ｓ３９８）。
【００９４】
なお、ステップＳ３８８の判定で、指示内容が「反転」であった場合は、該当機器の制御方式がＯＮ／ＯＦＦ制御であるか否か判断し（Ｓ３８９）、ＯＮ／ＯＦＦ制御であれば現在の機器状態が「ＯＦＦ」であるか否か判断する（Ｓ３９０）。
【００９５】
また、指示内容と制御方式が適合しない場合は、ステップＳ３９９へ移行してエラー処理する。以上の処理がテレコン制御処理である。
【産業上の利用可能性】
【００９６】
本発明は、照明機器の遠隔制御において照明機器と有線接続していなくても照明機器の動作状態を把握することができ、操作時の動作確認も可能なワイヤレスリモコン装置及びテレコントロール装置に適用可能である。
【図面の簡単な説明】
【００９７】
【図１】一実施の形態に係るテレコントロールシステムの概念図
【図２】上記実施の形態におけるテレコントロール装置及びリモコンの機能ブロック図
【図３】テレコン操作時の照明機器のＯＮ／ＯＦＦ制御の概念図
【図４】テレコン操作時の照明機器の順送り制御の概念図
【図５】リモコンの全体フロー図
【図６】リモコンの制御信号受信処理を表したフロー図
【図７】リモコンの照度センサ状態記憶処理を表したフロー図
【図８】リモコンの照度センサ状態記憶処理の変形例を表したフロー図
【図９】リモコンの状態通知信号送信処理のフロー図
【図１０】リモコンの状態通知信号送信処理の変形例のフロー図
【図１１】リモコンの変形例の全体フロー図
【図１２】リモコンのマイクＯＮ処理のフロー図
【図１３】リモコンのマイク入力判定処理のフロー図
【図１４】リモコンのマイクＯＦＦ処理のフロー図
【図１５】テレコントロール装置の全体フロー図
【図１６】テレコントロール装置の状態通知信号受信処理のフロー図
【図１７】テレコントロール装置の状態通知信号受信処理の変形例のフロー図
【図１８】テレコントロール装置の状態通知信号受信処理の他の変形例のフロー図
【図１９】テレコントロール装置の機器ランプ制御処理のフロー図
【図２０】テレコントロール装置の機器ボタン押下処理のフロー図
【図２１】テレコン設定となるテーブル構成図
【図２２】テレコントロール装置の制御信号送信処理のフロー図
【図２３】テレコントロール装置のテレコン制御処理の前半部のフロー図
【図２４】テレコントロール装置のテレコン制御処理の後半部のフロー図
【符号の説明】
【００９８】
１１  照明機器
１２  エアコンディショナー
１３  電動シャッター
１４  床暖房器具
１５  電気錠
１６  テレコントロール装置
１６−１  親機
１６−２  子機
１８、１９  リモコン
２０１，２３１  制御装置
２０２  着信信号検出部
２０３  ＰＢ信号検出部
２０４  ナンバーディスプレイ信号検出部
２０５  応答制御装置
２０６  制御信号送信部
２０７  状態通知信号受信部
２０８  テレコン設定値記憶部
２０９  制御内容記憶部
２１０  時刻記憶部
２１１  時刻計時部
２１２  反転制御計時部
２１３  機器状態記憶部
２１４  点滅周期制御装置
２１５  機器ランプ
２１６  機器ボタン
２１７  ＬＣＤ
２１９  外部照度センサ
２３２  制御信号受信部
２３３  状態通知信号送信部
２３４  内部照度センサ
２３５  内部照度センサ記憶部
２３６  機器状態記憶部
２３７  音声増幅部
２３８  音声観測カウンタ
２４３  外部照度センサ
【図１】
2005175816.tif 000003
【図２】
2005175816.tif 000004
【図３】
2005175816.tif 000005
【図４】
2005175816.tif 000006
【図５】
2005175816.tif 000007
【図６】
2005175816.tif 000008
【図７】
2005175816.tif 000009
【図８】
2005175816.tif 000010
【図９】
2005175816.tif 000011
【図１０】
2005175816.tif 000012
【図１１】
2005175816.tif 000013
【図１２】
2005175816.tif 000014
【図１３】
2005175816.tif 000015
【図１４】
2005175816.tif 000016
【図１５】
2005175816.tif 000017
【図１６】
2005175816.tif 000018
【図１７】
2005175816.tif 000019
【図１８】
2005175816.tif 000020
【図１９】
2005175816.tif 000021
【図２０】
2005175816.tif 000022
【図２１】
2005175816.tif 000023
【図２２】
2005175816.tif 000024
【図２３】
2005175816.tif 000025
【図２４】
2005175816.tif 000026